(57)【要約】【課題】用紙の排紙方向の直交方向のサイズが２種類である場合に、その２種類の排紙態様の用紙を共に紙揃えすることができる排紙装置及びこれを用いた印刷装置を提供する。【解決手段】排紙台３１上の排紙方向に沿って配置され、排紙方向の直交方向にそれぞれ独立して移動自在な一対の上流側サイドフェンス３２及び一対の下流側サイドフェンス３３と、排紙台３１上に配置され、排紙方向に移動自在なエンドフェンス３４とを有し、一対の上流側サイドフェンス３２が上流サイドフェンスモータの動力で、一対の下流側サイドフェンス３３が下流サイドフェンスモータの動力で、エンドフェンス３４がエンドフェンスモータの動力によってそれぞれ移動できる。【選択図】図２
2010042899.tif 000002
【特許請求の範囲】
【請求項１】
排紙台上に排紙方向に沿って配置され、排紙方向の直交方向の用紙位置を規制する２対のサイドフェンスを少なくとも有し、前記各対のサイドフェンスがそれぞれ排紙方向の直交方向に独立に移動可能に設けられたことを特徴とする排紙装置。
【請求項２】
請求項１記載の排紙装置であって、
前記排紙台上に配置され、排紙方向の用紙先端位置を規制するエンドフェンスを有し、前記エンドフェンスが排紙方向に移動可能に設けられたことを特徴とする排紙装置。
【請求項３】
請求項１又は請求項２記載の排紙装置であって、
前記各対のサイドフェンスは、駆動源の動力によって移動できるよう構成されたことを特徴とする排紙装置。
【請求項４】
請求項２又は請求項３記載の排紙装置であって、
前記エンドフェンスは、駆動源の動力によって移動できるよう構成されたことを特徴とする排紙装置。
【請求項５】
用紙に印刷処理を施す印刷部と、前記印刷部で印刷された用紙が排紙される排紙装置とを備え、
前記排紙装置は、排紙台上に排紙方向に沿って配置され、排紙方向の直交方向にそれぞれ独立に移動自在に設けられた少なくとも２対のサイドフェンスと、排紙台上の排紙方向に移動自在に設けられたエンドフェンスとを有することを特徴とする印刷装置。
【請求項６】
請求項５記載の印刷装置であって、
前記各対のサイドフェンスと前記エンドフェンスは、駆動源の動力によってそれぞれ移動できるよう構成されたことを特徴とする印刷装置。
【請求項７】
請求項６記載の印刷装置であって、
前記排紙台を制御する排紙台制御部を有し、
前記排紙台制御部は、同一印刷ジョブ内で排紙方向の直交方向のサイズが異なる用紙を排紙する仕分け機能が選択された場合には、前記一対の上流側のサイドフェンスを、排紙方向の直交方向のサイズが大きい用紙の排紙用位置に、前記一対の下流側のサイドフェンス及び前記エンドフェンスを、排紙方向の直交方向のサイズが小さい用紙の排紙用位置にそれぞれ移動させたことを特徴とする印刷装置。
【請求項８】
請求項７記載の印刷装置であって、
前記排紙台制御部は、同一サイズの用紙をタテ排紙とヨコ排紙で排紙する仕分けの場合には、前記一対の上流側のサイドフェンスを前記用紙のヨコ排紙用位置に、前記一対の下流側のサイドフェンス及び前記エンドフェンスを、前記用紙のタテ排紙用位置にそれぞれ移動させたことを特徴とする印刷装置。
【請求項９】
請求項６又は請求項７記載の印刷装置であって、
前記排紙台制御部は、前記排紙台上に前記用紙が載置された状態で印刷モードが選択された場合には、前記排紙台上に載置された前記用紙と印刷する前記用紙の排紙方向の直交方向のサイズを比較し、前記排紙台上に載置された前記用紙の排紙方向の直交方向のサイズが小さいときには、前記一対の上流側のサイドフェンスを、印刷する前記用紙のヨコ排紙用位置に移動させ、前記排紙台上に載置された前記用紙の排紙方向の直交方向のサイズが大きいときには、前記一対の下流側のサイドフェンス及び前記エンドフェンスを、印刷する前記用紙のタテ排紙用位置にそれぞれ移動させたことを特徴とする印刷装置。
【請求項１０】
請求項９記載の印刷装置であって、
前記排紙台制御部は、前記排紙台上に載置された前記用紙と印刷する前記用紙が同一サイズである場合には、前記排紙台上に載置された前記用紙がタテ排紙のときには、前記一対の上流側のサイドフェンスをヨコ排紙用位置に、前記排紙台上に載置された前記用紙がヨコ排紙のときには、前記一対の下流側のサイドフェンス及び前記エンドフェンスをタテ排紙用位置にそれぞれ移動させたことを特徴とする印刷装置。
【請求項１１】
請求項６〜請求項１０のいずれかに記載の印刷装置であって、
前記排紙台制御部は、前記排紙台上に前記用紙が載置された状態で印刷モードが選択された場合には、前記排紙台上に載置された前記用紙の用紙サイズを検知し、前記排紙台上の用紙サイズが印刷する用紙サイズ以上に大きいときには前記サイドフェンスの位置を移動せず、前記排紙台上の用紙サイズが印刷する用紙サイズ未満のときには、印刷する用紙サイズのヨコ排紙用位置又はタテ排紙用位置に前記サイドフェンスを移動させたことを特徴とする印刷装置。
【発明の詳細な説明】
【技術分野】
【０００１】
本発明は、排紙された用紙を紙揃えする排紙装置、及び、これを用いた印刷装置に関する。
【背景技術】
【０００２】
従来の排紙装置としては、特許文献１や特許文献２に開示されたものがある。この排紙装置は、排紙台と、この排紙台上に設けられた一対のサイドフェンスと、排紙台上に設けられたエンドフェンスとを備えている。一対のサイドフェンスは、モータの動力によって排紙方向の直交方向に移動できるよう構成されている。エンドフェンスは、モータの動力によって排紙方向に移動できるよう構成されている。
【０００３】
上記構成において、一対のサイドフェンスは用紙の排紙方向の直交方向のサイズ、若しくはこれより若干だけ大きい位置に移動され、エンドフェンスは排紙される用紙の先端に干渉する位置に移動される。用紙が排紙台上に排紙されると、排紙方向の直交方向の用紙位置が一対のサイドフェンスに規制され、排紙方向の先端位置がエンドフェンスに規制され、紙揃えされた状態で用紙が排紙台上に載置される。
【特許文献１】特開２００１−３２８３３３号公報
【特許文献２】特開２００２−２９６５７号公報
【発明の開示】
【発明が解決しようとする課題】
【０００４】
しかしながら、従来の排紙装置では、用紙の排紙方向の直交方向のサイズが２種類である場合には紙揃えすることができない。つまり、例えばＡ４サイズの用紙についてタテ排紙とヨコ排紙を行う仕分け機能が選択された場合にあって、タテ排紙の用紙とヨコ排紙の用紙を共に紙揃えすることができない。
【０００５】
そこで、本発明は、用紙の排紙方向の直交方向のサイズが２種類である場合に、その２種類の排紙態様の用紙を共に紙揃えすることができる排紙装置及びこれを用いた印刷装置を提供することを目的とする。
【課題を解決するための手段】
【０００６】
上記目的を達成する請求項１の発明は、排紙台上に排紙方向に沿って配置され、排紙方向の直交方向の用紙位置を規制する２対のサイドフェンスを少なくとも有し、各対のサイドフェンスがそれぞれ排紙方向の直交方向に独立に移動可能に設けられたことを特徴とする排紙装置である。
【０００７】
請求項２の発明は、請求項１記載の排紙装置であって、排紙台上に配置され、排紙方向の用紙先端位置を規制するエンドフェンスを有し、エンドフェンスが排紙方向に移動可能に設けられたことを特徴とする排紙装置である。
【０００８】
請求項３の発明は、請求項１又は請求項２記載の排紙装置であって、各対のサイドフェンスは、駆動源の動力によって移動できるよう構成されたことを特徴とする排紙装置である。
【０００９】
請求項４の発明は、請求項２又は請求項３記載の排紙装置であって、エンドフェンスは、駆動源の動力によって移動できるよう構成されたことを特徴とする排紙装置である。
【００１０】
請求項５の発明は、用紙に印刷処理を施す印刷部と、印刷部で印刷された用紙が排紙される排紙装置とを備え、排紙装置は、排紙台上に排紙方向に沿って配置され、排紙方向の直交方向にそれぞれ独立に移動自在に設けられた少なくとも２対のサイドフェンスと、排紙台上の排紙方向に移動自在に設けられたエンドフェンスとを有することを特徴とする印刷装置である。
【００１１】
請求項６の発明は、請求項５記載の印刷装置であって、各対のサイドフェンスとエンドフェンスは、駆動源の動力によってそれぞれ移動できるよう構成されたことを特徴とする印刷装置である。
【００１２】
請求項７の発明は、請求項６記載の印刷装置であって、前記排紙台を制御する排紙台制御部を有し、前記排紙台制御部は、同一印刷ジョブ内で排紙方向の直交方向のサイズが異なる用紙を排紙する仕分け機能が選択された場合には、一対の上流側のサイドフェンスを、排紙方向の直交方向のサイズが大きい用紙の排紙用位置に、一対の下流側のサイドフェンス及びエンドフェンスを、排紙方向の直交方向のサイズが小さい用紙の排紙用位置にそれぞれ移動させたことを特徴とする印刷装置である。
【００１３】
請求項８の発明は、請求項７記載の印刷装置であって、前記排紙台制御部は、同一サイズの用紙をタテ排紙とヨコ排紙で排紙する仕分けの場合には、一対の上流側のサイドフェンスを用紙のヨコ排紙用位置に、一対の下流側のサイドフェンス及びエンドフェンスを、用紙のタテ排紙用位置にそれぞれ移動させたことを特徴とする印刷装置である。
【００１４】
請求項９の発明は、請求項６又は請求項７記載の印刷装置であって、前記排紙台制御部は、排紙台上に用紙が載置された状態で印刷モードが選択された場合には、排紙台上に載置された用紙と印刷する用紙の排紙方向の直交方向のサイズを比較し、排紙台上に載置された用紙の排紙方向の直交方向のサイズが小さいときには、一対の上流側のサイドフェンスを、印刷する用紙のヨコ排紙用位置に移動させ、排紙台上に載置された用紙の排紙方向の直交方向のサイズが大きいときには、一対の下流側のサイドフェンス及びエンドフェンスを、印刷する用紙のタテ排紙用位置にそれぞれ移動させたことを特徴とする印刷装置である。
【００１５】
請求項１０の発明は、請求項９記載の印刷装置であって、前記排紙台制御部は、排紙台上に載置された用紙と印刷する用紙が同一サイズである場合には、排紙台上に載置された用紙がタテ排紙のときには、一対の上流側のサイドフェンスをヨコ排紙用位置に、排紙台上に載置された用紙がヨコ排紙のときには、一対の下流側のサイドフェンス及びエンドフェンスをタテ排紙用位置にそれぞれ移動させたことを特徴とする印刷装置である。
【００１６】
請求項１１の発明は、請求項６〜請求項１０のいずれかに記載の印刷装置であって、前記排紙台制御部は、排紙台上に用紙が載置された状態で印刷モードが選択された場合には、排紙台上に載置された用紙の用紙サイズを検知し、排紙台上の用紙サイズが印刷する用紙サイズ以上に大きいときにはサイドフェンスの位置を移動せず、排紙台上の用紙サイズが印刷する用紙サイズ未満のときには、印刷する用紙サイズのヨコ排紙用位置又はタテ排紙用位置にサイドフェンスを移動させたことを特徴とする印刷装置である。
【発明の効果】
【００１７】
請求項１の発明によれば、排紙方向の直交方向のサイズが大きい状態と排紙方向の直交方向のサイズが小さい状態で排紙する場合に、排紙方向の直交方向のサイズが大きいものに合わせて一対の上流側のサイドフェンスの幅位置を設定し、排紙方向の直交方向のサイズが小さいものに合わせて一対の下流側のサイドフェンスの幅位置を設定することにより、排紙方向の直交方向のサイズが大きいものは、その排紙方向の直交方向の用紙位置が一対の上流側のサイドフェンスに規制され、排紙方向の直交方向のサイズが小さいものは、その排紙方向の直交方向の用紙位置が一対の下流側のサイドフェンスに規制される。従って、用紙の排紙方向の直交方向のサイズが２種類である場合に、その２種類の排紙態様の用紙を共に紙揃えすることができる。
【００１８】
また、排紙方向の直交方向のサイズが大きいものは、その排紙方向の先端位置が一対の下流側のサイドフェンスに規制されるため、排紙方向についても紙揃えされる。
【００１９】
例えば同一サイズの用紙をヨコ排紙とタテ排紙で排紙する場合には、ヨコ排紙される用紙は、その排紙方向の直交方向のサイズが大きい用紙となり、タテ排紙される用紙は、その排紙方向の直交方向のサイズが小さい用紙となるため、ヨコ排紙された用紙の排紙方向の直交方向の用紙位置が上流側のサイドフェンスで紙揃えされ、タテ排紙された用紙の排紙方向の直交方向の用紙位置が下流側のサイドフェンスで紙揃えされる。以上より、同一サイズの用紙についてタテ排紙とヨコ排紙を行う場合には、タテ排紙された用紙とヨコ排紙された用紙の両方を共に紙揃えすることができる。又、ヨコ排紙された用紙は、その排紙方向の先端位置が下流側のサイドフェンスで紙揃えされるため、排紙方向についても紙揃えされる。
【００２０】
請求項２の発明によれば、請求項１の発明の効果に加え、排紙方向の直交方向のサイズが小さい用紙は、その排紙方向の先端位置がエンドフェンスに規制されるため、排紙方向についても紙揃えされる。
【００２１】
例えば同一サイズの用紙をヨコ排紙とタテ排紙で排紙する場合には、タテ排紙された用紙の排紙方向の先端位置がエンドフェンスで紙揃えされるため、タテ排紙された用紙も排紙方向について紙揃えできる。
【００２２】
請求項３の発明によれば、請求項１又は請求項２の発明の効果に加え、各一対のサイドフェンスをそれぞれ自動で所望の位置に移動できるため、操作性が良い。
【００２３】
請求項４の発明によれば、請求項２又は請求項３の発明の効果に加え、エンドフェンスを自動で所望の位置に移動できるため、操作性が良い。
【００２４】
請求項５の発明によれば、排紙方向の直交方向のサイズが大きいものと排紙方向の直交方向のサイズが小さいものとを排紙する場合に、排紙方向の直交方向のサイズが大きいものに合わせて一対の上流側のサイドフェンスの幅位置を設定し、排紙方向の直交方向のサイズが小さいものに合わせて一対の下流側のサイドフェンスの幅位置を設定することにより、排紙方向の直交方向のサイズが大きいものは、その排紙方向の直交方向の用紙位置が一対の上流側のサイドフェンスに規制され、排紙方向の直交方向のサイズが小さいものは、その排紙方向の直交方向の用紙位置が一対の下流側のサイドフェンスに規制される。従って、用紙の排紙方向の直交方向のサイズが２種類である場合に、その２種類の排紙態様の用紙を共に紙揃えすることができる。
【００２５】
また、排紙方向の直交方向のサイズが大きいものは、その排紙方向の先端位置が一対の下流側のサイドフェンスに規制されるため、排紙方向についても紙揃えされる。排紙方向の直交方向のサイズが小さい用紙は、その排紙方向の先端位置がエンドフェンスに規制されるため、排紙方向についても紙揃えされる。
【００２６】
例えば同一サイズの用紙をヨコ排紙とタテ排紙で排紙する場合には、ヨコ排紙される用紙は、その排紙方向の直交方向のサイズが大きい用紙となり、タテ排紙される用紙は、その排紙方向の直交方向のサイズが小さい用紙となるため、ヨコ排紙された用紙の排紙方向の直交方向の用紙位置が上流側のサイドフェンスで紙揃えされ、タテ排紙された用紙の排紙方向の直交方向の用紙位置が下流側のサイドフェンスで紙揃えされる。以上より、同一サイズの用紙についてタテ排紙とヨコ排紙を行う場合には、タテ排紙された用紙とヨコ排紙された用紙の両方を共に紙揃えすることができる。又、ヨコ排紙された用紙は、その排紙方向の先端位置が下流側のサイドフェンスで紙揃えされるため、排紙方向についても紙揃えされる。タテ排紙された用紙は、その排紙方向の先端位置がエンドフェンスで紙揃えされるため、排紙方向についても紙揃えされる。
【００２７】
請求項６の発明によれば、請求項５の発明に加え、各一対のサイドフェンスとサイドフェンスをそれぞれ自動で所望の位置に移動できるため、操作性が良い。
【００２８】
請求項７の発明によれば、請求項６の発明に加え、同一印刷ジョブ内で仕分け機能が選択された場合には、排紙方向の直交方向のサイズが大きいものは、その排紙方向の直交方向の用紙位置が一対の上流側のサイドフェンスに、その排紙方向の先端位置が一対の下流側のサイドフェンスにそれぞれ規制される。排紙方向の直交方向のサイズが小さいものは、その排紙方向の直交方向の用紙位置が一対の下流側のサイドフェンスに、その排紙方向の先端位置がエンドフェンスにそれぞれ規制される。以上より、用紙の排紙方向の直交方向のサイズが２種類である場合に、その２種類の排紙態様の用紙を共に紙揃えすることができる。
【００２９】
請求項８の発明によれば、請求項７の発明と同様の作用によって、タテ排紙の用紙とヨコ排紙の用紙に対しその排紙方向とその直交方向に自動的に紙揃えすることができる。
【００３０】
請求項９の発明によれば、請求項６又は請求項７の発明の効果に加え、排紙台上に用紙が載置された状態で印刷モードが選択された場合には、印刷された用紙に対し排紙方向及びその直交方向について紙揃えできる。
【００３１】
請求項１０の発明によれば、請求項９の発明と同様の作用によって、印刷された用紙に対し排紙方向及びその直交方向について紙揃えできる。
【００３２】
請求項１１の発明によれば、請求項６〜請求項８の発明の効果に加え、排紙台上に用紙が載置された状態で印刷モードが選択された場合には、排紙台上の用紙サイズが印刷する用紙サイズ以上に大きいときにはサイドフェンスの位置を移動しないため、排紙台に載置された用紙がサイドフェンスで折り曲げられたりすることがなく、排紙台上の用紙サイズが印刷する用紙サイズ未満のときには、印刷する用紙について排紙方向の直交方向の紙揃えを行うことができる。
【発明を実施するための最良の形態】
【００３３】
以下、本発明の一実施形態を図面に基づいて説明する。
【００３４】
（実施形態）
図１〜図１０は本発明の一実施形態を示し、図１は印刷装置の全体概略構成図、図２は排紙装置の斜視図、図３は排紙台の裏面図、図４は印刷装置の概略回路ブロック図、図５は排紙装置の概略回路ブロック図、図６は排紙台に用紙が載置されていない場合の印刷動作フローチャート、図７は排紙台に用紙が載置されている場合の印刷動作フローチャート、図８は排紙台に用紙が載置されている場合に、仕分け機能でＡ４サイズ（Ｂ５サイズ）の用紙をタテ排紙とヨコ排紙した場合の排紙状態を示す平面図、図９は排紙台にタテ排紙されたＡ４サイズ（Ｂ５サイズ）の用紙が載置されている場合に、Ａ４サイズ（Ｂ５サイズ）の用紙を印刷処理するときの排紙装置の動作を説明する図、図１０は排紙台にヨコ排紙されたＡ４サイズ（Ｂ５サイズ）の用紙が載置されている場合に、Ａ４サイズ（Ｂ５サイズ）の用紙を印刷処理するときの排紙装置の動作を説明する図である。
【００３５】
図１に示すように、印刷装置１は、操作部２と原稿読み取り部３と印刷部４と給紙部５と排紙装置である排紙部６とから主に構成されている。
【００３６】
操作部２は、各種キー２ａと表示パネル２ｂを有する。各種キー２ａは、印刷キー、原稿読み取りキー、テンキー、スタートキー、ストップキー、仕分けキー、メニュー選択キー等である。原稿読み取り動作は、原稿読み取りキー２ｂを押し、スタートキー２ｄを押下することによって選択できる。通常の印刷動作は、印刷キーを押し、２枚以上の印刷時にはテンキーで枚数を指定し、スタートキーを押下することによって選択できる。仕分けキーによって仕分け機能を選択することができる。仕分け機能では、１部数の枚数（例えば１０枚）とその部数（例えば５部数）をテンキーで入力する。又、仕分け機能が選択された場合には、同じ印刷データのものを印刷する場合と、異なる印刷データのもの（例えば１ページ〜１０ページ）を印刷する場合とを選択できる。
【００３７】
原稿読み取り部３は、原稿が載置される原稿セット台（図示せず）と、原稿セット台上の原稿を搬送する原稿搬送ロール（図示せず）と、原稿搬送ロールによって搬送される原稿の画像データを光学的に読み取り、電気信号に変換するイメージセンサ（図示せず）とを有する。イメージセンサ（図示せず）によって読み取られた画像データは、データ保存部４１（図４に示す）に記憶される。
【００３８】
印刷部４は、一対のプラテンローラ１０によって搬送されるベルトプラテン１１と、このベルトプラテン１１の上方に近接配置されたインクジェットヘッド１２とを有する。インクジェットヘッド１２は、インクタンク（Ｃ，Ｋ，Ｍ，Ｙ）１３より各色のインク供給を受け、ベルトプラテン１１上を搬送されてくる用紙Ｐにインクを噴射することによって印刷処理を施す。
【００３９】
給紙部５は、それぞれ用紙が載置された複数の給紙台２０と、この各給紙台２０から最上位置の用紙Ｐのみを搬送させる複数の給紙ローラ２１と、各給紙ローラ２１によって搬送された用紙Ｐをプラテンローラ１１の上流に搬送する一対のレジストローラ２２とを有する。複数の給紙台２０は、装置本体１ａの側部と架台１ｂ内とに設けられている。尚、架台１ｂ内には少なくとも一台の給紙台２０が設けられている。
【００４０】
各給紙台２０には、Ｂ５，Ａ４，Ｂ４，Ａ３等の用紙サイズの用紙Ｐを載置できる。Ｂ５，Ａ４サイズの用紙については、タテ置き（タテ印刷用）とヨコ置き（ヨコ印刷用）のいずれの方向でも載置できる。Ｂ４，Ａ３サイズの用紙は、タテ置き（タテ印刷用）でのみ載置できる。各給紙台２０には、用紙Ｐが載置されているか否かを検知する紙有無検知センサ（図示せず）と、載置されている用紙Ｐの用紙サイズ（Ｂ５，Ａ４，Ｂ４，Ａ３）を検知する用紙サイズ検知センサ（図示せず）と、載置されている用紙Ｐがタテ置き（タテ印刷用）かヨコ置き（ヨコ印刷用）かを検知する縦横向き検知センサ（図示せず）とが設けられている。
【００４１】
排紙部６は、ベルトプラテン１１の下流端より排出される用紙Ｐを受け取り、受け取った用紙Ｐを搬送する一対の排出ローラ３０と、一対の排出ローラ３０の搬送下流に配置された排紙台３１とを有する。印刷部４によって印刷処理が施された用紙Ｐは、一対の排出ローラ３０の搬送力によって排紙口６ａ（図２に示す）より排紙台３１上に排紙される。
【００４２】
次に、排紙台３１の詳しい構成を説明する。図２に示すように、排紙台３１は、一対の排出ローラ３０から搬送されてくる用紙Ｐが落下する位置に配置されている。排紙台３１上には、排紙方向に沿って配置された一対の上流サイドフェンス（上流側のサイドフェンス）３２及び一対の下流サイドフェンス（下流側のサイドフェンス）３３と、これら一対のサイドフェンス３２，３３の中央位置に配置された１台のエンドフェンス３４とが設けられている。一対の上流サイドフェンス３２は排紙方向の上流側に、一対の下流サイドフェンス３３は、一対の上流サイドフェンス３２よりも下流位置で、且つ、一対の上流サイドフェンス３２にオーバラップしない位置に配置されている。一対の上流サイドフェンス３２及び一対の下流サイドフェンス３３は、それぞれ用紙Ｐの排紙方向の直交方向の両端面に干渉し、用紙の直交方向の用紙位置を規制する。一対の下流サイドフェンス３３は、一対の上流サイドフェンス３２より幅狭位置に位置する状態では、用紙Ｐの排紙方向の先端面に干渉し、排紙方向の先端位置を規制する。エンドフェンス３４は、用紙Ｐの排紙方向の先端面に干渉し、排紙方向の先端位置を規制する。
【００４３】
図３に示すように、一対の上流サイドフェンス３２は、駆動源である上流サイドフェンスモータ３５と、この上流サイドフェンスモータ３５の回転によって排紙方向の直交方向の左右対称方向に同期して移動する左右一対の動力伝達ベルト３６とによって排紙方向の直交方向に自動で移動できるよう構成されている。一対の下流サイドフェンス３３は、駆動源である下流サイドフェンスモータ３７と、この下流サイドフェンスモータ３７の回転によって排紙方向の直交方向の左右対称方向に同期して移動する左右一対の動力伝達ベルト３８とによって排紙方向の直交方向に自動で移動できるよう構成されている。これにより、一対の上流サイドフェンス３２と一対の下流サイドフェンス３３は、別個独立に移動できるよう構成されている。エンドフェンス３４は、駆動源であるエンドフェンスモータ３９と、このエンドフェンスモータ３９の回転によって排紙方向に移動する動力伝達ベルト４０とによって排紙方向に自動で移動できるよう構成されている。
【００４４】
又、排紙台３１には、排紙台３１上に用紙Ｐが載置されているか否かを検知する紙有無検知センサ（図示せず）と、載置されている用紙Ｐの用紙サイズ（Ｂ５，Ａ４，Ｂ４，Ａ３）を検知する用紙サイズ検知センサ（図示せず）と、載置されている用紙Ｐがタテ置き（タテ排紙）かヨコ置き（ヨコ排紙）かを検知する縦横向き検知センサ（図示せず）とが設けられている。
【００４５】
次に、印刷装置１の制御系を説明する。図４に示すように、制御部４０と操作部２と原稿読み取り部３とデータ保存部４１とデータ９０度回転部４２と印刷部４と給紙部５と排紙部６は、それぞれ互いにデータ交換可能に構成されている。又、排紙部６は、図５に示すように、排紙台制御部４３を有し、この排紙台制御部４３が上流サイドフェンスモータ３５、下流サイドフェンスモータ３７及びエンドフェンスモータ３９を制御する。制御部４０には、操作部２の入力データ、給紙部５の各検知センサデータ、排紙部６の各検知データ等が入力される。これらデータに基づいて制御部４０が上記した各部を統括制御する。制御部４０は、排紙部６については排紙台制御部４３を介して各フェンスモータ３５，３７，３９を制御する。又、データ保存部４１には印刷動作等に係わる各種のプログラムも格納され、制御部４０は印刷動作に関しては図６及び図７に示すフローを実行する。この制御内容については、下記する印刷動作の箇所で説明する。
【００４６】
次に、印刷装置１の具体的な印刷動作を説明する。先ず、排紙台３１上に用紙Ｐが載置されていない状態で、印刷モードが選択された場合を説明する。図６に示すように、印刷する用紙サイズがＡ４以下であるか否かをチェックする（ステップＳ１）。用紙サイズがＡ４以下でない、つまり、用紙サイズがＡ４を超えるサイズ（Ｂ４又はＡ３）の場合には、印刷の用紙サイズ（Ｂ４又はＡ３）のタテ印刷用位置に一対の上流サイドフェンス３２、一対の下流サイドフェンス３３及びエンドフェンス３４を移動させる（ステップＳ１０）。そして、タテ印刷の印刷動作を設定枚数だけ実行し（ステップＳ１１、Ｓ１２）、これで終了する。
【００４７】
用紙サイズがＡ４以下のサイズ（Ａ４又はＢ５）の場合には、仕分け機能が選択されているか否かをチェックする（ステップＳ２）。仕分け機能が選択されていない場合には、給紙部５にヨコ置き（ヨコ印刷用）の用紙Ｐが載置されているか否かをチェックする（ステップＳ１３）。ヨコ置き（ヨコ印刷用）の用紙Ｐが載置されていなければ、印刷の用紙サイズ（Ａ４又はＢ５）のタテ排紙用位置に一対の上流サイドフェンス３２、一対の下流サイドフェンス３３及びエンドフェンス３４を移動させる（ステップＳ１０）。そして、タテ印刷の印刷動作を設定枚数だけ実行し（ステップＳ１１、Ｓ１２）、これで終了する。ヨコ置き（ヨコ印刷用）の用紙Ｐが載置されていれば、印刷の用紙サイズ（Ａ４又はＢ５）のヨコ排紙用位置に一対の上流サイドフェンス３２、一対の下流サイドフェンス３３及びエンドフェンス３４を移動させる（ステップＳ１４）。上流サイドフェンス３２と下流サイドフェンス３３は排紙方向で同じ位置に移動される。そして、ヨコ印刷の印刷動作を設定枚数だけ実行し（ステップＳ１５ 、Ｓ１６）、これで終了する。
【００４８】
また、仕分け機能が選択されている場合には、給紙部５にタテ置き（タテ印刷用）の用紙Ｐとヨコ置き（ヨコ印刷用）の用紙Ｐの両方が載置されているか否かをチェックする（ステップＳ３）。タテ置きとヨコ置きのいずれか一方の用紙Ｐしか載置されていない場合には、当該用紙Ｐ、つまり、載置されている向きでの印刷を実行する。詳細には、ヨコ置き（ヨコ印刷用）の用紙Ｐが載置されていれば、ヨコ印刷を実行する（ステップＳ１３〜Ｓ１６）。タテ置き（タテ印刷用）の用紙Ｐが載置されていれば、タテ印刷を実行する（ステップＳ１０〜Ｓ１２）。つまり、仕分け機能を無視して印刷を行う。
【００４９】
給紙部５にタテ置き（タテ印刷用）とヨコ置き（ヨコ印刷用）の両方の用紙Ｐが共に載置されていれば、図８に示すように、印刷の用紙サイズ（Ａ４又はＢ５）のヨコ排紙用位置に一対の上流サイドフェンス３２を、印刷の用紙サイズ（Ａ４又はＢ５）のタテ排紙用位置に一対の下流サイドフェンス３３及びエンドフェンス３４を移動させる（ステップＳ４）。つまり、一対の上流サイドフェンス３２と一対の下流サイドフェンス３４は、排紙方向の直交方向に対し異なる位置に移動される。次に、印刷データはタテ印刷用のデータか否かをチェックする（ステップＳ５）。印刷データがタテ印刷用であれば、データ９０度回転部４２を用いてヨコ印刷用のデータを新たに作製し（ステップＳ６）、印刷データがヨコ印刷用であれば、データ９０度回転部４２を用いてタテ印刷用のデータを新たに作製する（ステップＳ１７）。そして、奇数部の印刷動作ではタテ印刷の印刷動作を１部設定枚数だけ実行し（ステップＳ８）、偶数部の印刷動作ではヨコ印刷動作を１部設定枚数だけ実行する（ステップＳ１８）。このタテ印刷とヨコ印刷を設定部数だけ行い（ステップＳ９）、これで終了する。
【００５０】
仕分け機能を選択した印刷動作にあって、ヨコ印刷された用紙Ｐはヨコ排紙で排紙台３１上に排紙され、タテ印刷された用紙Ｐはタテ排紙で排紙台３１上に排紙される。図８に示すように、ヨコ排紙の用紙Ｐは、その排紙方向の直交方向の用紙位置が一対の上流サイドフェンス３２に規制され、且つ、その排紙方向の先端位置が一対の下流サイドフェンス３３に規制されるため、ヨコ排紙の用紙Ｐは、その排紙方向及びその直交方向に紙揃えされた状態で排紙台３１上に載置される。タテ排紙の用紙Ｐは、その排紙方向の直交方向の用紙位置が一対の下流サイドフェンス３３に規制され、且つ、その排紙方向の先端位置がエンドフェンス３４に規制されるため、タテ排紙の用紙Ｐは、その排紙方向及びその直交方向に紙揃えされた状態で排紙台３１上に載置される。従って、同一サイズ（Ａ４、Ｂ５）の用紙をタテ排紙とヨコ排紙で排紙する場合に共に紙揃えを行うことができる。
【００５１】
又、上記したように、ヨコ排紙された用紙Ｐの排紙方向の先端位置は、下流側のサイドフェンス３３で紙揃えされるため、ヨコ排紙された用紙Ｐは排紙方向とその直交方向の両方向について紙揃えされる。
【００５２】
次に、排紙台３１上に用紙Ｐが載置されている状態で、印刷モードが選択された場合の動作を説明する。図７に示すように、排紙台３１上に載置された用紙サイズがＡ４以下であるか否かをチェックする（ステップＳ２０）。用紙サイズがＡ４以下でない、つまり、用紙サイズがＡ４を超えるサイズ（Ｂ４又はＡ３）の場合には、排紙台３１上の用紙サイズ（Ｂ４又はＡ３）が印刷する用紙サイズ未満であるか否かをチェックする（ステップＳ２３）。排紙台３１上の用紙サイズが同一又は大きい場合には、一対の上流サイドフェンス３２、一対の下流サイドフェンス３３及びエンドフェンス３４を移動せず、その位置のままとする（ステップＳ２５）。そして、印刷動作を設定枚数だけ実行し、これで終了する。
【００５３】
排紙台３１上の用紙サイズが小さい場合には、印刷する用紙サイズに一対の上流サイドフェンス３２、一対の下流サイドフェンス３３及びエンドフェンス３４を移動する（ステップＳ２４）。そして、印刷動作を設定枚数だけ実行し、これで終了する。
【００５４】
次に、排紙台３１上に載置された用紙サイズがＡ４以下である場合には、排紙台３１上に載置された用紙Ｐがタテ排紙された用紙Ｐか否かをチェックする（ステップＳ２１）。図９に示すように、載置台３１上の用紙Ｐがタテ排紙された用紙Ｐであれば、印刷する用紙Ｐサイズのヨコ排紙用位置に一対の上流サイドフェンス３２を移動する（ステップＳ２２）。具体的には、図９の実線位置から仮想線位置に移動する。そして、印刷動作を設定枚数だけ実行し、これで終了する。ヨコ排紙された用紙Ｐは、その排紙方向の直交方向の用紙位置が一対の上流サイドフェンス３２に規制され、その排紙方向の先端位置が一対の下流サイドフェンス３３に規制される。従って、ヨコ排紙の用紙Ｐは、その排紙方向及びその直交方向に紙揃えされた状態で排紙台３１上に載置される。
【００５５】
図１０に示すように、載置台３１上の用紙Ｐがヨコ排紙された用紙Ｐであれば、印刷する用紙サイズのタテ排紙用位置に一対の下流サイドフェンス３３及びエンドフェンス３４を移動する（ステップＳ２６）。具体的には、図１０の実線位置から仮想線位置に移動する。そして、印刷動作を設定枚数だけ実行し、これで終了する。タテ排紙された用紙Ｐは、その排紙方向の直交方向の用紙位置が一対の下流サイドフェンス３３に規制され、その排紙方向の先端位置がエンドフェンス３４に規制される。従って、タテ排紙の用紙Ｐは、その排紙方向及びその直交方向に紙揃えされた状態で排紙台３１上に載置される。
【００５６】
以上説明したように、排紙部６及びこれを適用した印刷装置１は、排紙台３１上の排紙方向に沿って配置され、排紙方向の直交方向の用紙位置を規制する一対の上流サイドフェンス３２と一対の下流サイドフェンス３３を有し、一対の上流サイドフェンス３２と一対の下流サイドフェンス３３がそれぞれ排紙方向の直交方向に独立に移動可能に設けられた。従って、排紙方向の直交方向のサイズが大きい用紙Ｐと排紙方向の直交方向のサイズが小さい用紙Ｐとを排紙台３１上に排紙する場合に、排紙方向の直交方向のサイズが大きい用紙Ｐに合わせて一対の上流サイドフェンス３２の幅位置を設定し、排紙方向の直交方向のサイズが小さい用紙Ｐに合わせて一対の下流サイドフェンス３３の幅位置を設定することにより、排紙方向の直交方向のサイズが大きい用紙Ｐは、その排紙方向の直交方向の用紙位置が一対の上流サイドフェンス３２に規制され、且つ、排紙方向の先端位置が一対の下流サイドフェンス３３に規制される。排紙方向の直交方向のサイズが小さい用紙Ｐは、その排紙方向の直交方向の用紙位置が一対の下流サイドフェンス３３に規制され、且つ、その排紙方向の先端位置がエンドフェンス３４に規制される。従って、用紙の排紙方向の直交方向のサイズが２種類である場合に、その２種類の排紙態様の用紙Ｐを共に紙揃えすることができる。
【００５７】
排紙台３１上の排紙方向の直交方向に配置され、排紙方向の先端位置を規制するエンドフェンス３４を有し、エンドフェンス３４が排紙方向に移動可能に設けられている。従って、タテ排紙された用紙Ｐの排紙方向の先端位置がエンドフェンス３４で紙揃えされるため、タテ排紙された用紙Ｐも排紙方向とその直交方向の両方向について紙揃えできる。
【００５８】
一対の上流サイドフェンス３２は、上流サイドフェンスモータ３５の動力によって、一対の下流サイドフェンス３３は下流サイドフェンスモータ３７の動力によって移動できるよう構成されている。従って、一対の上流サイドフェンス３２及び一対の下流サイドフェンス３３をそれぞれ自動で所望の位置に移動できるため、操作性が良い。但し、一対の上流サイドフェンス３２と一対の下流サイドフェンス３３は、操作者の手動で所望の位置に移動できるよう構成しても良い。
【００５９】
エンドサイドフェンス３４は、エンドフェンスモータ３９の動力によって移動できるよう構成されている。従って、エンドフェンス３９を自動で所望の位置に移動できるため、操作性が良い。但し、エンドフェンス３４は、操作者の手動で移動できるよう構成しても良い。
【００６０】
この実施形態では、仕分け機能について同一サイズ（Ａ４又はＢ５）の用紙の場合を説明したが、異なるサイズ（Ａ４とＢ５）の用紙Ｐでも共に紙揃えを行うことができる。
【００６１】
つまり、同一印刷ジョブ内で排紙方向の直交方向のサイズが異なる用紙Ｐを排紙する仕分け機能が選択された場合には、一対の上流サイドフェンス３２を、排紙方向の直交方向のサイズが大きい用紙Ｐの排紙用位置に、一対の下流サイドフェンス３３及びエンドフェンス３４を、排紙方向の直交方向のサイズが小さい用紙Ｐの排紙用位置にそれぞれ移動させる。
【００６２】
このように構成することにより、用紙自体のサイズに関わらず、用紙Ｐの排紙方向の直交方向のサイズが２種類（例えばＡ４サイズのタテ排紙とＢ５サイズのヨコ排紙）である場合にも共に紙揃えできる。
【００６３】
この実施形態の印刷装置１にあっては、Ａ４を超えるサイズの用紙（Ｂ４，Ａ３）Ｐについては仕分け機能を実行できないが、本発明はＡ４サイズを超えるサイズの用紙Ｐでも適用可能であることはもちろんである。
【００６４】
この実施形態では、排紙台３１上に用紙Ｐが載置されている状態で、印刷モードが選択された場合について、排紙台３１に載置された用紙Ｐと印刷する用紙Ｐが同一サイズ（Ａ４又はＢ５）の場合を説明したが、用紙自体のサイズが異なる場合でも印刷する用紙Ｐの紙揃えを行うことができる。
【００６５】
つまり、排紙台３１上に用紙Ｐが載置された状態で印刷モードが選択された場合には、排紙台３１上に載置された用紙Ｐと印刷する用紙Ｐの排紙方向の直交方向のサイズを比較し、排紙台３１上に載置された用紙Ｐの排紙方向の直交方向のサイズが小さいときには、一対の上流サイドフェンス３２を、印刷する用紙Ｐのヨコ排紙用位置に移動させ、排紙台３１上に載置された用紙Ｐの排紙方向の直交方向のサイズが大きいときには、一対の下流サイドフェンス３３及びエンドフェンス３４を、印刷する用紙Ｐのタテ排紙用位置にそれぞれ移動させる。
【００６６】
このように構成することにより、用紙自体のサイズに関わらず、排紙台３１上に用紙が載置されている状態で印刷モードが選択された場合にあっても、印刷する用紙Ｐが紙揃えされた状態で排紙台３１上に載置される。
【００６７】
（その他）
前記実施形態では、排紙部６を印刷装置１に適用した場合を示したが、印刷装置１以外の装置（例えば複写機、丁合装置等）の排紙部にも適用できることはもちろんである。
【００６８】
前記実施形態では、排紙台３１上の排紙方向には一対の上流サイドフェンス３２と一対の下流サイドフェンス３３からなる２対のサイドフェンスが設けられているが、３対以上のサイドフェンスを設けても良い。３対以上のサイドフェンスを設ければ、用紙Ｐの排紙方向の直交方向のサイズが３種類以上である場合にも共に紙揃えできる。
【００６９】
前記実施形態にあって、印刷モードが完了すると、一対の上流サイドフェンス３２と一対の下流サイドフェンス３３の内の少なくともいずれか一方が幅方向外側に自動的に移動するようにすれば、用紙Ｐを取り出し易くできる。又、フェンス解除ボタンを付設し、フェンス解除ボタンをオンした時のみサイドフェンスが幅方向外側に自動的に移動するようにしても良い。又、操作者の使用状態により、手動でサイドフェンスを移動させても良い。
【図面の簡単な説明】
【００７０】
【図１】本発明の一実施形態を示し、印刷装置の全体概略構成図である。
【図２】本発明の一実施形態を示し、排紙装置の斜視図である。
【図３】本発明の一実施形態を示し、排紙台の裏面図である。
【図４】本発明の一実施形態を示し、印刷装置の概略回路ブロック図である。
【図５】本発明の一実施形態を示し、排紙装置の概略回路ブロック図である。
【図６】本発明の一実施形態を示し、排紙台に用紙が載置されていない場合の印刷動作フローチャートである。
【図７】本発明の一実施形態を示し、排紙台に用紙が載置されている場合の印刷動作フローチャートである。
【図８】本発明の一実施形態を示し、排紙台に用紙が載置されている場合に、仕分け機能でＡ４サイズ（Ｂ５サイズ）の用紙をタテ排紙とヨコ排紙した場合の排紙状態を示す平面図である。
【図９】本発明の一実施形態を示し、排紙台にタテ排紙されたＡ４サイズ（Ｂ５サイズ）の用紙が載置されている場合に、Ａ４サイズ（Ｂ５サイズ）の用紙を印刷処理するときの排紙装置の動作を説明する図である。
【図１０】本発明の一実施形態を示し、排紙台にヨコ排紙されたＡ４サイズ（Ｂ５サイズ）の用紙が載置されている場合に、Ａ４サイズ（Ｂ５サイズ）の用紙を印刷処理するときの排紙装置の動作を説明する図である。
【符号の説明】
【００７１】
１  印刷装置
４  印刷部
６  排紙部（排紙装置）
３１  排紙台
３２  一対の上流サイドフェンス（一対の上流側のサイドフェンス）
３３  一対の下流サイドフェンス（一対の下流側のサイドフェンス）
３４  エンドフェンス
３５  上流サイドフェンスモータ（駆動源）
３７  下流サイドフェンスモータ（駆動源）
３９  エンドフェンスモータ（駆動源）
４３  排紙台制御部
【図１】
2010042899.tif 000003
【図２】
2010042899.tif 000004
【図３】
2010042899.tif 000005
【図４】
2010042899.tif 000006
【図５】
2010042899.tif 000007
【図６】
2010042899.tif 000008
【図７】
2010042899.tif 000009
【図８】
2010042899.tif 000010
【図９】
2010042899.tif 000011
【図１０】
2010042899.tif 000012